(57)【要約】      （修正有）【課題】両側嵌合式紙製ランチボックスを提供する。【解決手段】両側嵌合式紙製ランチボックスは箱２０および蓋３０から構成される。箱は二つの相対する差込部材２７を有する。二つの差込部材はそれぞれ差込孔と、二つの差込孔に繋がって相対するスリットとを有する。蓋は二つの相対する片状差込部３３を有する。蓋の二つの片状差込部は一つずつ箱の差込部材の差込孔に差し込まれ、箱の差込部材の二つのスリットに嵌まり込むため、輪ゴムを使わず蓋を箱に固定することができる。上述した構造特徴により、蓋を開ければ蓋は箱と完全に分離するため、一部分の食べ物を蓋に載せることができるだけでなく、使用上の利便性の向上および材料コストの削減を実現させることができる。【選択図】図２
0003224553.tif 000002
【実用新案登録請求の範囲】
【請求項１】
箱および蓋から構成され、
前記箱は、二つの相対する第一側壁を有し、二つの前記第一側壁はそれぞれ差込部材を有し、前記差込部材は差込孔と、二つの前記差込孔に繋がって相対するスリットとを有し、
前記蓋は、二つの相対する片状差込部を有し、二つの前記片状差込部はそれぞれ前記箱の前記第一側壁の前記差込部材の前記差込孔に差し込まれ、前記箱の前記第一側壁の前記差込部材の二つの前記スリットに嵌まり込むことを特徴とする両側嵌合式紙製ランチボックス。
【請求項２】
前記箱の前記第一側壁は、内層および外層を有し、前記内層は前記差込部材を有することを特徴とする請求項１に記載の両側嵌合式紙製ランチボックス。
【請求項３】
前記箱の前記第一側壁は、内層および外層を有し、前記外層は前記差込部材を有することを特徴とする請求項１に記載の両側嵌合式紙製ランチボックス。
【請求項４】
前記箱において、それぞれの差込部材はさらに片状ガイド部を有し、前記片状ガイド部は前記差込孔に対応して二つの前記スリットの間に位置付けられることを特徴とする請求項１から請求項３のいずれか一つに記載の両側嵌合式紙製ランチボックス。
【請求項５】
前記箱は、二つの相対する第二側壁および二つの相対する第一翼を有し、二つの前記第二側壁はそれぞれ二つの前記第一側壁の間に連結され、二つの前記第一翼はそれぞれ前記第二側壁の頂部から水平方向かつ内側に伸びて形成され、
前記蓋は、頂面を有し、前記頂面は前記箱の二つの前記第一翼に重なって配置されることを特徴とする請求項１に記載の両側嵌合式紙製ランチボックス。
【請求項６】
前記蓋は、頂面および二つの相対する第二翼を有し、二つの前記第二翼はそれぞれ前記蓋の前記頂面に連結され、前記箱の前記第一側壁の外周面に接触し、二つの前記片状差込部はそれぞれ前記第二翼から前記箱の方向へ伸びて形成されることを特徴とする請求項１に記載の両側嵌合式紙製ランチボックス。
【請求項７】
それぞれの前記片状差込部は前記第二翼から離れる方向へ徐々に縮小する形であることを特徴とする請求項６に記載の両側嵌合式紙製ランチボックス。
【考案の詳細な説明】
【技術分野】
【０００１】
本考案は紙製ランチボックスに関し、詳しくは使用上の利便性を向上させることができる両側嵌合式紙製ランチボックスに関するものである。
【背景技術】
【０００２】
よく見掛けられている紙製ランチボックスは箱および蓋から構成される。食べ物が箱から漏れるか、埃または昆虫などの異物が箱の中に入ることを防止するには、食べ物を箱に盛った後、蓋および箱を輪ゴムで固定することが一般的である。つまり、密封効果を得るために、このようなランチボックスは輪ゴムを使用することが必要であるため、コストが比較的高いだけでなく、環境への負担を低減できない。
【０００３】
それに対して、輪ゴムを使用するコストを削減するために開発された紙製ランチボックスは蓋の一側に片状嵌合部を有する。蓋の片状嵌合部を箱の嵌合孔に差し込めば輪ゴムを使わず蓋を固定する効果を達成することができる。特許文献１により掲示された紙製ランチボックスの箱は壁部および強化壁部の二層構造であり、壁部に嵌合口を有する。連結壁部を嵌合口に嵌め込めば緊密および安定効果を果たすことができる。強化壁部によって箱の内部空間および嵌合口を遮断すれば紙製ランチボックス内の食べ物と外部を効果的に隔離することができるが、実際に使用してみると、連結壁部を嵌合口に嵌め込みにくいことがあるため、嵌め合う際の利便性が落ちるという問題がある。
【０００４】
二つの前記紙製ランチボックスの共通問題点は下記のとおりである。紙製ランチボックを開けた後、蓋が傾いた状態となるため、蓋を開けて箱内の食べ物を取ろうとする時、種類または量が多過ぎる食べ物の一部分を傾いた蓋に載せると食べ物がランチボックスから落ちて汚れるだけでなく、食べ物を無駄にし、環境衛生に影響を与えるという問題が起こる。それと、箱および蓋は一体になるため、寸法の比較的大きい型を開発することが必要である。そのゆえに製作コストが高くつき。
【先行技術文献】
【特許文献】
【０００５】
【特許文献１】日本実用新案３１２９６５０号公報
【考案の概要】
【考案が解決しようとする課題】
【０００６】
本考案は、輪ゴムを使わず蓋を固定できるだけでなく、食べ物を蓋に載せて安定させ、使用上の利便性を向上させ、材料コストを削減することができる両側嵌合式紙製ランチボックスを提供することを主な目的とする。
【課題を解決するための手段】
【０００７】
上述した課題を解決するため、両側嵌合式紙製ランチボックは箱および蓋から構成される。箱は二つの相対する第一側壁を有する。二つの第一側壁はそれぞれ差込部材を有する。差込部材は差込孔と、二つの差込孔に繋がって相対するスリットとを有する。蓋は二つの相対する片状差込部を有する。二つの片状差込部はそれぞれ箱の第一側壁の差込部材の差込孔に差し込まれ、箱の第一側壁の差込部材の二つのスリットに嵌まり込む。
【０００８】
上述した構造特徴により、輪ゴムを使わず蓋と箱を迅速に結合させて固定することができる。両側嵌合式紙製ランチボックスを開ければ蓋は箱と完全に分離するため、平らになる蓋に一部分の食べ物を載せて安定させることができるだけでなく、食べ物が蓋から滑って落ちることを心配する必要がない。
【０００９】
比較的好ましい場合、箱はそれぞれの第一側壁に内層および外層を有する。差込部材は実際のニーズに応じて内層および外層のいずれか一つに配置される。
【００１０】
比較的好ましい場合、箱において、それぞれの差込部材は片状ガイド部を有する。片状ガイド部は差込孔に対応して二つのスリットの間に位置付けられる。上述した構造特徴により、蓋を固定する際、蓋の片状差込部を箱の片状ガイド部に接触させて沿って差込孔に差し込めば位置決め効果を迅速に達成することができる。
【００１１】
比較的好ましい場合、箱は二つの相対する第二側壁および二つの相対する第一翼を有する。二つの第二側壁はそれぞれ二つの第一側壁の間に連結される。二つの第一翼はそれぞれ第二側側壁の頂部から水平方向かつ内側に伸びて形成される。蓋は頂面および二つの相対する第二翼を有する。蓋の頂面は箱の二つの第一翼に重なって配置される。二つの第二翼はそれぞれ蓋の頂面に連結され、箱の第一側壁の外周面に接触する。二つの片状差込部はそれぞれ第二翼から箱の方向へ伸びて形成される。上述した構造特徴により、箱に蓋を差し込んで安定させることができる。
【００１２】
比較的好ましい場合、二つの片状差込部はそれぞれ箱の方向へ徐々に縮小する形である。上述した構造特徴により、二つの片状差込部を差込孔に差し込んで二つのスリットに嵌め込んで安定させることができる。
【００１３】
本考案による両側嵌合式紙製ランチボックスの詳細な構造、特徴、組み立てまたは使用方法は、以下の実施形態の詳細な説明を通して明確にする。また、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【００１４】
【図１】本考案の第１実施形態による紙製ランチボックスを示す斜視図である。
【図２】本考案の第１実施形態による紙製ランチボックスを示す分解斜視図である。
【図３】図２の拡大図の一部分である。
【図４】本考案の第１実施形態による紙製ランチボックスの一部分を示す断面図である。
【図５】本考案の第２実施形態による紙製ランチボックスの一部分を示す断面図である。
【図６】本考案の第２実施形態による紙製ランチボックスの一部分を示す分解斜視図である。
【図７】本考案の第３実施形態による紙製ランチボックスの一部分を示す断面図である。
【図８】本考案の第４実施形態による紙製ランチボックスを示す斜視図である。
【図９】本考案の第５実施形態による紙製ランチボックスを示す斜視図である。
【考案を実施するための形態】
【００１５】
以下、本考案による両側嵌合式紙製ランチボックスを図面に基づいて説明する。なお、明細書および請求項において、頂部、底部、上下、内外、前後および左右などの方向性用語は図面に示した方向に基づいて表現される。図中の同じ符号は同じ部品または類似した部品の構造特徴を示す。
【００１６】
（第１実施形態）
図１および図２に示すように、本考案の第１実施形態による両側嵌合式紙製ランチボック１０は箱２０および蓋３０から構成される。
【００１７】
箱２０は、所定の形で裁断された紙材料を折り曲げて接着する工程によって製作される。紙材料を折り曲げて接着する方法は従来の技術であるため、説明を省略する。
【００１８】
箱２０は、底面２１、二つの相対する第一側壁２２、二つの相対する第二側壁２３、食べ物を盛るための収容空間２４および二つの相対する第一翼２８を有する。二つの第一側壁２２は底面２１の前後両側に連結されて一体になる。二つの第二側壁２３は底面２１の左右両側に連結され、同時にそれぞれ二つの第一側壁２２の間に連結されて一体になる。収容空間２４は底面２１、二つの第一側壁２２および二つの第二側壁２３から囲まれて形成される。二つの第一翼２８は二つの第二側壁２３の頂部から水平方向かつ収容空間２４の方向に伸びて形成される。
【００１９】
第一側壁２２を内側に折り曲げて接着すれば内層２５および外層２６を形成する。本実施形態において、図３および図４に示すように、外層２６は左右両端に差込孔２６２と、二つの差込孔２６２に繋がって相対するスリット２６４と、差込孔２６２に対応して二つのスリット２６４の間に位置する片状ガイド部２６６と、を別々に有する。上述した構造特徴により、差込孔２６２、二つのスリット２６４および片状ガイド部２６６は結合して差込部材２７になる。本実施形態において、第一側壁２２は上述に限定されず、異なる折り方によって内層２５および外層２６を形成してもよい。図５に示すように紙材料、即ち第一側壁２２は外側に折り曲げられて内層２５および外層２６を形成する。差込部材２７は図３から図５に示すように外層２６に形成されるとは限らず、図６および図７に示すように実際のニーズに応じて内層２５に形成されてもよい。
【００２０】
蓋３０は、所定の形で裁断された別の紙材料を折り曲げる工程によって製作される。紙材料を折り曲げる方法は従来の技術であるため、説明を省略する。
【００２１】
蓋３０は、頂面３１、二つの相対する第二翼３２および二対の片状差込部３３を有する。二つの第二翼３２は頂面３１の前後両側に連結されて一体になる。片状差込部３３は第二翼３２の底辺から下に伸び、第二翼３２から離れる方向へ徐々に縮小する形である。
【００２２】
箱２０に蓋３０を被せる際、蓋３０は頂面３１の底部が箱２０の二つの第一翼２８の頂面に重なる。続いて、複数の片状差込部３３を一つずつ複数の片状ガイド部２６６に接触させて沿って下に押せば、複数の片状差込部３３は差込孔２６２に入り込んで二つのスリット２６４に嵌まり込んで蓋３０を固定する。
【００２３】
上述した構造特徴により、本考案による両側嵌合式紙製ランチボック１０は箱２０の差込部材２７と蓋３０の片状差込部３３の組み合わせによって輪ゴムを使わず箱２０と蓋３０を迅速に結合させて固定することができる。つまり、本考案は材料コストの削減を達成できる。一方、蓋３０を開ければ蓋３０は箱２０と完全に分離するため、平らになる蓋３０に一部分の食べ物を載せて安定させることができるだけでなく、食べ物が蓋から滑って落ちることを心配する必要がない。言い換えれば、本考案による両側嵌合式紙製ランチボック１０は使用上の利便性が良好である。箱２０および蓋３０は異なる型で製作されるため、型の寸法を縮減できるだけでなく、大量生産によって生産コストを下げることができる。
【００２４】
本考案は上記実施形態に限定されるものではなく、考案の趣旨を逸脱しない範囲において下記の形態で実施することができる。図１に示すように、収容空間２４にスペーサー構造２９を増設すれば異なる食べ物を分類することができる。蓋３０は材料が紙であるとは限らず、ポリプロピレン製などの透明材質であってもよい。図８に示すように、透明な蓋３０は食べ物の種類を直接確認できるだけでなく、好みの食べ物を取る際の利便性をはかることができる。図９に示すように、不透明材料で製作された蓋３０の頂面３１の中央に開口部３４を形成し、開口部３４に対応する位置に透明フィルムシート３５を配置すれば、食べ物を選択する際の利便性をはかることができる。
【符号の説明】
【００２５】
１０：両側嵌合式紙製ランチボック、  
２０：箱、  
２１：底面、  
２２：第一側壁、  
２３：第二側壁、  
２４：収容空間、  
２５：内層、  
２６：外層、  
２６２：差込孔、  
２６４：スリット、  
２６６：片状ガイド部、  
２７：差込部材、  
２８：第一翼部、  
２９：スペーサー構造、  
３０：蓋、  
３１：頂面、  
３２：第二翼部、  
３３：片状差込部、  
３４：開口部、  
３５：透明フィルムシート
【図１】
0003224553.tif 000003
【図２】
0003224553.tif 000004
【図３】
0003224553.tif 000005
【図４】
0003224553.tif 000006
【図５】
0003224553.tif 000007
【図６】
0003224553.tif 000008
【図７】
0003224553.tif 000009
【図８】
0003224553.tif 000010
【図９】
0003224553.tif 000011